(57)【特許請求の範囲】
【請求項１】
操作部材と、該操作部材の一端に設けられるヘッド部材と、該操作部材の他端に設けられる駆動源と、前記ヘッド部材の底部に設けた回転軸に回転可能に接続される回転刃と、該回転刃の底部側に設けられる回転刃保護部材とから構成され、前記ヘッド部材は前記操作部材を前記回転刃の上部表面に対して所定の仰角を形成して回転刃に接続するように構成され、前記回転刃は前記駆動源による駆動力により回転駆動される刈払機において、
前記回転刃保護部材が、前記回転軸に軸受を介して係止された係止部材、前記回転刃の底部側で、該係止部材に装着された複数のそり部材から構成され、各そり部材は、先端部に、回転刃側に反って回転刃に近傍に設けられ、該回転刃の外径外側に存在して構成されたそり部を備え、
１つのそり部材を前記操作部材に接続する接続部材が、前記操作部材の側方に前記回転刃から離間して配設されて、該そり部材のそり部の操作部材側の一端にそり部形状に沿った形状でもって接続され、前記操作部材側に延び、前記ヘッド部材から所定の距離を置いた位置で前記操作部材に連結されること
を特徴とする刈払機。
【請求項２】
請求項１において、前記回転刃の底部側で、前記係止部材に装着された縦突出部、横突出部及び円筒部からなる保持部底部もしくは円盤状の保持底部もしくは円盤状の保持底部を備え、いずれかの保持部底部に前記複数のそり部材が設けられ、該保持部底部を介して前記複数のそり部材が前記係止部材に装着されることを特徴とする刈払機。
【請求項３】
請求項１において、前記接続部材が、前記操作部材の１側方のみに、Ｌ字形状を有して配設され、該Ｌ字形状の一端が前記操作部材に連結されることを特徴とする刈払機。
【請求項４】
請求項１において、前記複数のそり部材が、前記操作部材の長手方向に延びる複数のそり部材で構成され、複数のそり部材の内の最外側に配置された外側そり部材が、前記回転刃の外径の近傍に配置され、前記接続部材が、該外側そり部材の操作部材側の一端に接続されることを特徴とする刈払機。
【請求項５】
請求項４において、最外側に配置された外側そり部材は、その外側面が前記回転刃の外径よりも外側に位置し、その内側面が前記回転刃の外径よりも内側に位置するように配置されることを特徴とする刈払機。
【請求項６】
請求項４において、複数のそり部材の内の内側に配置された内側そり部材が、前記回転刃の外径よりも内側に位置するように配置されて、そり部が回転刃の外径よりも外側にある形状とされ、前記接続部材が、該内側そり部材のそり部の操作部材側の一端に接続されることを特徴とする刈払機。
【請求項７】
請求項１から６のいずれかにおいて、前記操作部材に刈払物巻込防止部材が設けられ、前記ヘッド部材に他の刈払物巻込防止部材が設けられたことを特徴とする刈払機。
【発明の詳細な説明】
【技術分野】
【０００１】  本発明は、雑草等の刈払いに用いる刈払機に関し、特に、刈払機の回転刃の中央部への刈払物の巻込みを防止できる刈払機に関する。
【背景技術】
【０００２】
従来、刈払機は、エンジン等の駆動源による駆動力を伝達する部材を内蔵する操作部材の一端にヘッド部材を取付け、このヘッド部材へ中央に回転軸を有する回転刃を回転可能に取付け、操作部材の他端をエンジンに接続し、エンジンによる駆動力により回転刃を高速回転させる構成となって
いる。この回転刃には、外周に複数の切刃が設けられており、回転刃を高速回転させて左右に揺り動かすことで雑草等の刈払対象物を容易に刈払うことができる。
【０００３】
また、この刈払機は、操作部材にループハンドル、ツーグリップハンドル又は両手ハンドル等の取っ手を備え、操作部材またはハンドルのグリップにスロットルレバーが設けられる。そして、利用者がハンドルを持って操作部材の上下又は左右の姿勢を調整し、スロットルレバーの操作をすることで、回転刃の回転及び停止を制御できる構成となっている。
【０００４】
このように高速回転する回転刃を有する刈払機に共通する問題として、主に、回転刃にて雑草等を刈り払った際に、この刈払物がヘッド部材、即ち回転刃の中央部に巻込まれて絡まってしまい、回転刃の回転が変動したり停止したりする問題があった。
【０００５】
また、他の問題として、例えば刈払作業中に刈払物対象外のコンクリート等の硬い障害物に誤って回転刃を接触させて破損させてしまったり、回転刃が底面の地面や石等と接触して衝撃や耳障りな接触音を発生してしまったりして、作業性を低下したりする問題があった。また、上述の刈払機は、刈払対象物を刈払う箇所の高さを一定に保ちたい場合に、利用者が地面から回転刃までの高さを常に保持する必要があり、特に刈払対象物が斜面にある場合に利用者に負担となり、長時間の作業が困難となる問題があった。
【０００６】
これら問題を解決するために、種々の提案がなされている。例えば、特許文献１には、回転する草刈り刃を先端に備えた草刈り機に取付けられる草寄せ具であり、草刈り刃により切断された切断草を受止めて草刈り機の揺動刈り取り操作に伴って草寄せするようにし、草寄せ具の本体を草刈り刃の上方において横架する棒状体にて形成した寄せ具本体に凸又は凹状の草掛け部を形成した草刈り機が提案されている。
【０００７】
この発明によれば、草刈り機の草刈り刃によって刈られて飛散される草は草寄せ具にて受止め、切断された草を効率的に一方に寄せることができので、この草寄せ具が障害物となって刈払物の回転刃の中央部への巻込みを防止することができる。
【０００８】
また、上述の他の問題を解決するものとして、特許文献２には、外周に刃部を備えた回転刃が回動自在に支持される支持体を、操作部材を介してエンジンに連結して設けた揺動式草刈機において、回転刃の両側面に支持体を地表面に活動自在に保持するためのそり部を設けた揺動式草刈機が提案されている。
【０００９】
この発明によれば、そり部により回転刃の両側面を保護することができ、かつ地面から回転刃までの高さを一定に保持することができるので、利用者への負担を低減することができる。
【００１０】
更に、特許文献３には、ハンドルシャフトの先端部に回転駆動される刈払刃が回動自在に設けられた刈払機に用いる刈払機用ガイド部の取付構造であって、刈払刃の下面側にガイド部を取り付け、このガイド部を刈払刃が装着される回転軸に対して軸受を介して相対的に回動自在に設ける刈払機用ガイド部の取付構造を刈払機に適用することが提案されている。
【００１１】
この発明によれば、ガイド部を設けたことにより、草刈作業中に刈払刃が地面や石等との接触による衝撃や耳障りな接触音が発生することを低減することができ、かつ回動自在のガイド部を地面に接触させることによって、利用者が刈払刃を左右に滑らかに揺動させて作業をすることができ、利用者への負担を低減することができる。
【先行技術文献】
【特許文献】
【００１２】
【特許文献１】実開平０２−１３４８２１号公報
【特許文献２】特開２００３−１４３９１９号公報
【特許文献３】特開２００８−１８２９６４号公報
【発明の概要】
【発明が解決しようとする課題】
【００１３】
特許文献１記載の発明では、そり部を用いているが、提案の構造では刈払物の巻き込みによる滞積を防止することは困難である。
【００１４】
上記の特許文献２あるいは特許文献３記載の発明では、刈払物の長さがヘッド部材の外周よりも長い場合に、このヘッド部材の外周部即ち回転刃の中央部に刈払物が巻込まれて回転刃の回転が停止する等の不具合が生じる問題が依然としてあった。これにより、巻込まれた刈払物の除去のため作業を一時中止する必要が生じてしまい、作業性が著しく低下してしまう問題があった。また、特許文献２記載の発明では、雑草等の刈払いの状況に応じて、草寄せ具の着脱を切換える必要があり、これによっても作業性を低下してしまう問題があった。
【００１５】
本発明の目的は、回転刃及びヘッド部材の横振れを防止して刈払のための移動操作を容易にして、刈払物の巻き込みによる滞積を防止することで、利用者が長時間継続して刈払作業を行うことのできる刈払機を提供することにある。
【００１６】
本発明の目的は、また、回転刃を外部の障害物から保護することができて、刈払機の回転刃の中央部への刈払物の巻込みを容易に防止できる刈払機を提供することにある。
【課題を解決するための手段】
【００１７】
本発明の刈払機は、操作部材と、該操作部材の一端に設けられるヘッド部材と、該操作部材の他端に設けられる駆動源と、前記ヘッド部材の底部に設けた回転軸に回転可能に接続される回転刃と、該回転刃の底部側に設けられる回転刃保護部材とから構成され、前記ヘッド部材は前記操作部材を前記回転刃の上部表面に対して所定の仰角を形成して回転刃に接続するように構成され、前記回転刃は前記駆動源による駆動力により回転駆動される刈払機において、
前記回転刃保護部材が、前記回転軸に軸受を介して係止された係止部材、前記回転刃の底部側で、前記操作部材の長手方向に延びるそり部形状とされ、該係止部材に装着された複数のそり部材から構成され、
１つのそり部材を前記操作部材に接続する接続部材が、前記操作部材の側方に前記回転刃から離間して配設されて、該そり部材のそり部形状の操作部材側の一端に該そり部形状に沿った形状でもって接続され、前記操作部材側に延び、前記ヘッド部材から所定の距離を置いた位置で前記操作部材に連結されること
を特徴としている。
【００１８】
本発明の刈払機は、また、前記回転刃の底部側で、前記係止部材に装着された縦突出部、横突出部及び円筒部からなる保持部底部もしくは円盤状の保持底部もしくは円盤状の保持底部を備えることを特徴としている。
【００１９】
本発明の刈払機は、また、前記接続部材が、前記操作部材の１側方のみに、Ｌ字形状を有して配設され、該Ｌ字形状の一端が前記操作部材に連結されることを特徴としている。
【００２０】
本発明の刈払機は、また、複数のそり部材の内の最外側に配置された外側そり部材が、前記回転刃の外径の近傍に配置され、前記接続部材が、該外側そり部材の操作部材側の一端に接続されることを特徴としている。
【００２１】
本発明の刈払機は、また、最外側に配置された外側そり部材は、その外側面が前記回転刃の外径よりも外側に位置し、その内側面が前記回転刃の外径よりも内側に位置するように配置されることを特徴としている。
【００２２】
本発明の刈払機は、また、複数のそり部材の内の内側に配置された内側そり部材が、前記回転刃の外径よりも内側に位置するように配置されて、前記操作部材の長手方向に延びるそり部形状とされ、先端そり部が回転刃の外径よりも内側あるいは外側にある形状とされ、前記接続部材が、該内側そり部材の操作部材側の一端に接続されることを特徴としている。
【００２３】
本発明の刈払機は、また、前記操作部材に刈払物巻込防止部材が設けられ、前記ヘッド部材に他の刈払物巻込防止部材が設けられたことを特徴としている。
【発明の効果】
【００２４】
本発明の刈払機は、上述のように構成しているので、回転刃及びヘッド部材の横振れをそり部材によって防止し、刈払いのための移動操作を容易にして、刈払物の巻き込みによる滞積を防止することで、利用者が長時間継続して刈払作業を行うことができる刈払機を提供することができる。また、回転刃を外部の障害物から保護することができて、刈払物が回転刃の中央部に巻込むことを容易に防止でき、利用者による作業性の低下を防ぐことができる。また、利用者が地面から回転刃までの高さを容易に一定に保持できるため、利用者による長時間作業による疲労を低減できる。
【図面の簡単な説明】
【００２５】
【図１】本発明の実施例である刈払機の外観を示す概略斜視図。
【図２】本発明の実施例である刈払機の縦断面図。
【図３】本発明の実施例である刈払機の概略底面図。
【図４】図２の刈払機の概略側面図。
【図５】本発明の他の実施例である刈払機の概略底面図。
【図６】本発明の更に他の実施例である刈払機の概略底面図。
【発明を実施するための形態】
【００２６】
以下、本発明の実施例である刈払機を図面に基づいて説明する。但し、本実施例の刈払機に適用する駆動源の構成および操作部材の詳細構成については、従来構成を用いるものとして図示せずに説明する。
【実施例１】
【００２７】
図１は、本発明の実施例である刈払機１００について、その外観を示す。また、この刈払機１００の縦断面図、側面図、底面図を図２、図３、図４にそれぞれ示す。
【００２８】
本発明の実施例における刈払機１００は、図１に示すように、操作部材１と、この操作部材１の一端に設けられるヘッド部材２と、操作部材１の他端に設けられる図示しない駆動源と、ヘッド部材２の底部２Ａで回転可能に設けられる回転刃３と、この回転刃３の底部に設けられる回転刃保護部材４とから構成される。
【００２９】
また、ヘッド部材２は、操作部材１を回転刃３の上部表面３Ｂに対して所定の仰角５を形成して回転刃３に接続するように構成され、回転刃３は駆動源による駆動力により回転駆動される構成となっている。
【００３０】
更に、図１に示すように、回転刃保護部材４が、回転軸３０に軸受３５を介して係止された係止部材３７、３８、回転刃３の底部側で、係止部材３７、３８に装着された複数のそり部材４０、４５から構成される。ここでは複数のそり部材４０、４５の内、外側に配置されたそり部材を外側そり部材、内側に配置されたそり部材を内側そり部材と称し、最外側のそり部材を指すときには、最外側そり部材と称するが、内側そり部材が設けられない場合もありあり得る。回転刃保護部材４には、両端にそり部４Ａを有する外側そり部材４０が設けられており、これらそり部４Ａの一つは、その操作部材側の一端にそり部４Ａの形状に沿った形状で、操作部材側に延び、そり部４Ａよりも回転刃３側あるいは操作部材側に傾斜した突出部５１が設けられている。そして、この突出部５１の一端とＬ字形状である接続部５２の一端はヘッド部材２から所定の距離を置いた位置の結合部５３にて連結されており、更に接続部材５２の他端と操作部材１はヘッド部材２から隔離した位置にある結合部５４にて連結される構成となっている。この構成によって、突出部５１、接続部５２及び結合部５３、５４によって接続部材５０が構成され、この接続部材５０は、回転刃３及びヘッド部材３の上方のいかなる位置にも位置しないことが理解されよう。したがって、接続部材５０が操作部材側に傾斜して延び、ヘッド部材２から所定の距離を置いた位置で操作部材１に連続されることで、操作部材１と回転刃３と接続部材５０との間には、空間５９が形成されることになることが理解されよう。この空間５９の形成によって、接続部５０との形状とあいまって、刈払物がこの空間に飛されることを許容することになって、刈払物が回転刃３とそり部材４０、４５の間にからみ、滞積することを防止することになる。
【００３１】
なお、接続部５２は、操作部材１の中心軸に対して平行に設けられる。これにより、利用者は接続部材５の地面に対する仰角を目視確認にて調整することにより、外側そり部材４０の底部４Ｂ即ち接地部を支点として回転刃３の地面に対する仰角を調整することができる。即ち、刈払対象物の地面から刈払箇所の高さを適宜調整することができる。
【００３２】
なお、これら結合部５３、５４には雌ねじ部若しくは貫通穴５３Ａ、５４Ａがそれぞれ設けられており、雄ねじ等の結合部材を結合部５３、５４に螺号若しくは嵌合させることにより各部材１、５１、５２をそれぞれ締付固定するように構成されている。
【００３３】
上述の刈払機１００の操作部材１と駆動源の構成について、以下詳述する。操作部材１は、棒状に細長い形状をしており、その内部には駆動源からの駆動力を伝えるための駆動伝達軸が設けられて、駆動源から回転刃３へ駆動力を伝達するように構成されている。
【００３４】
また、操作部材１の中央部付近には、利用者が刈払作業時に回転刃３の挙動を操作するためのＵ字状のハンドルが取付けられ、このハンドルの左右両端部にそれぞれ左グリップ、右グリップが装着される。これにより、利用者は両手でハンドルを持って操作部材１を介して容易に回転刃３の上下又は左右の姿勢を調整することができる。
【００３５】
また、操作部材１若しくは左右グリップには、後述する駆動源の駆動力を制御できるスロットルレバーが設けられており、このスロットルレバーの操作をすることで駆動力を制御し、回転刃３の回転数を自由に制御できるようになっている。例えば、スロットルレバーの操作により、回転刃３の回転及び停止を容易に切換えることができる。
【００３６】
駆動源としては、操作部材１内に設けられた駆動伝達軸を介して回転刃３を回転駆動するためのクラッチ式内燃エンジンが操作部材１の他端の取付具を介して取り付けられて構成されている。また、このクラッチ式内燃エンジンの燃料としてはガソリンが用いられ、このため内燃エンジンには燃料タンクが付設されている。
【００３７】
本実施例の刈払機１００の駆動源は、このクラッチ式内燃エンジンが発生する駆動力を駆動伝達軸に伝達することにより回転刃３を回転駆動するようになっている。なお、本実施例の刈払機１００の駆動源は、回転刃３を高速回転駆動でき、上述の駆動源の駆動力を制御できるスロットルレバーにより回転刃３の回転数をある程度制御できるものであれば、別の駆動源を適用できることは言うまでもない。
【００３８】
次に、ヘッド部材２、回転刃３及び駆動機構部１０の構成について、図２を用いて詳述する。ヘッド部材２の内部は中空構造となっており、駆動機構部１０が設けられている。この駆動機構部１０は操作部材１の駆動伝達部と回転刃３間とを接続して回転刃３に駆動力を伝達するように構成されている。
【００３９】
また、ヘッド部材２の底部２Ａは、回転刃３の上部表面３Ｂと略接するように設けられる。また、ヘッド部材２は、この外壁２Ｄを介して、操作部材１が回転刃３の上部表面３Ｂに対して所定の仰角５を形成するようになっている。この仰角５は、利用者である操作者の操作部材１のハンドルを持つ手の平均的高さ位置、利用者から回転刃３までの距離および操作部材１の長さを検討して、利用者が平均的に利用しやすい角度に設定される。
【００４０】
この駆動機構部１０は、回転軸３０が回転刃３の中央に形成されている挿通孔３Ｄに挿通すると共に、回転刃３が挟持部材３１と押付部材３２及び内側ケース３３の間に狭持されて回転軸３０に固定して取付けられている。
【００４１】
また、回転軸３０には、ヘッド部材２の内部に図示しない回転動力伝達部が設けられており、回転軸３０と操作部材１の駆動伝達部とは回転動力伝達部を介して連結されている。この回転動力伝達部は、例えば複数の傘歯車により構成されており、駆動伝達部による駆動力を回転軸３０の回転力、即ち回転刃３の回転力に変換するように構成されている。
【００４２】
また、挟持部材３１は、円板状体であり、中央に形成されている雌ねじ３１Ａが回転軸３０に形成されている雄ねじ３０Ａに螺合することによって回転軸３０と結合されている。内側ケース３３は、下向きの略カップ状体であり、中央に形成されている挿通孔３３Ａに回転軸３０が挿通している。そして、回転軸３０の先端部にはナット３４が螺合されており、このナット３４の締付けによって、内側ケース３３を、押付部材３２を介して回転刃３及び挟持部材３１に押付けて、回転刃３を回転軸３０に固定して取付けている。
【００４３】
また、内側ケース３３は、外周面に軸受３５の内周面が装着されており、その内側には、ナット３４が収容されている。軸受３５としては、例えばラジアル玉軸受のような玉軸受が用いられる。また、挟持部材３１の上部の回転軸３０にも同様に玉軸受である軸受３６が装着される。また、押付部材３２および軸受３５の外内周面には、係止部材３７、３８が装着されており、押付部材３２および軸受３５は外側に変位しないように係止部材３７、３８によって係止されている。
【００４４】
以上により駆動機構部１０が構成されており、回転刃３は、駆動機構部１０の回転軸３０により、挟持部材３１、押付部材３２、内側ケース３３およびナット３４を介して回動自在に構成される。即ち、回転刃３は、駆動機構部１０を介してヘッド部材２の底部２Ａで回動自在に設けられることとなる。
【００４５】
本実施例の刈払機１００に用いる回転刃３は、金属製の円板であり、この円板の外周３Ｃに沿って複数の凸部３Ｅと凹部３Ｆとが交互に形成され、凸部３Ｆには刃３Ｇが形成されている。このような回転刃３は、上記の刃３Ｇを超硬チップへ代えて用いてもよい。
【００４６】
本実施例の刈払機１００に用いる回転刃保護部材４は、図３に示すように、上述の係止部材３８の外周面に保持部材底部が嵌合されて固定されて構成されている。また、保持部材底部は、嵌合穴４１、縦突出部４２、横突出部４３および円筒部４４で形成されている。また、嵌合穴４１が上述の係止部材３８の外周面に嵌合接続されて構成される。更に、係止部材３８の底部には、嵌合穴４１の内周面に嵌合するようにして係止蓋３９がねじ締め等によって取付固定される。
【００４７】
また、回転刃保護部材４は、保持部材底部の両側の円筒部４４の外周近傍で、横突出部４３の底部に設けられた内側そり部材４５を備える。また、この内側そり部材４５の両端には、回転刃３側に反ったそり部４Ａがそれぞれ設けられている。また更に、横突出部４２の端部、即ち内側そり部材４５の外側にはそれぞれ外側そり部材４０が設けられる。この外側そり部材４０の両端には、上記のそり部材４５同様に回転刃３側に反ったそり部４Ａがそれぞれ設けられている。なお、そり部４Ａの一つには、上述の通り接続部材５０の突出部５１が設けられている。
【００４８】
また、これら縦突出部４２、そり部材４０、４５は、操作部材１の長手方向に延びるようにそれぞれ設けられる。これは、利用者が操作部材１の押出方向即ち操作部材１の長手方向に滑らかに移動させるためである。
【００４９】
更に、そり部材４０、４５には、図２に示すように、回転刃３と所定の高さ間隔６を置いて設けられる。また、回転保護部材４の両端に設けられた最外側のそり部４Ａは、回転刃３の外径円周上を含めた回転刃３の近傍に設けられ、本願の場合、それぞれ両端の幅寸法７が回転刃の外径３Ｃよりも大きくなるように設けられている。すなわち、複数のそり部材４０、４５の内の最外側の配置された外側そり部材４０が、回転用３の外径の近傍に配置され、接続部材５０が、外側そり部材の部材の操作部材側の一端に接続される。そして、最外側の配置された外側そり部材４０は、その外側面が回転刃３の外径よりも外側に位置し、その内側面が回転刃３の外径よりも内側に位置するように配置される。図３に示すように、内側そり部材４５の操作部材側先端部は、回転刃の外径３Ｃよりも内側にあり、反対側先端そり部４Ａは、回転刃の外径３Ｃの外側にある。
【００５０】
本実施例の刈払機１００は、更に、図４に示すように、回転刃３の上部表面３Ｂにはこの回転刃３の外径３Ｃと同心となり、ヘッド部材２の底部２Ａの外径２Ｃよりも大きくされた同心円１３の円上に複数の突起物１１がヘッド部材２に近接して、かつこの上部表面３Ｂに対して垂直方向に延びるように設けられている。
【００５１】
また、操作部材１に刈払物巻込防止部材２１が取付けられる。この刈払物巻込防止部材２１は、突起物１１とヘッド部材２と回転刃３の上部表面３Ｂとの間に生成される空間部１６に配置される。また、この刈払物巻込防止部材２１の先端部２１Ａは、先端の一方の側面２１Ｂが突起物１１の側面１１Ａに間隙を置いて配置され、上記先端の他方の側面２１Ｃがヘッド部材２の底部２Ａに間隙を置いて配置され、上記先端の底面２１Ｄが回転刃３の上部表面３Ｂに間隙を置いて配置されるように構成されている。
【００５２】
本実施例の刈払機１００は、好ましい構成として、回転刃３の上部表面３Ｂには回転刃３の外径３Ｃと同心となり、上記の同心円１３よりも大きくされた同心円１４の円上に複数の他の突起物１２が突起物１１に近接して、かつ上部表面３Ｂに対して垂直方向に延びるように設けられている。
【００５３】
また、ヘッド部材２に刈払物巻込防止部材２２が取付けられる。この刈払物巻込防止部材２２は、突起物１１と他の突起物１２と回転刃３の上部表面３Ｂとの間に生成される空間部１７に配置される。また、この刈払物巻込防止部材２２の先端部２２Ａは、先端の一方の側面２２Ｂが突起物１１の側面１１Ｂに間隙を置いて配置され、上記先端の他方の側面２２Ｃが他の突起物１２の側面１２Ａに間隙を置いて配置され、上記先端の底面２２Ｄが回転刃３の上部表面３Ｂに間隙を置いて配置されるように構成されている。以下、突起物１１、１２および刈払物巻込防止部材２１、２２について詳述する。
【００５４】
本実施例の刈払機１００に用いる回転刃３の突起物１１、１２としては、皿部１１Ｃ、１２Ｃと突起部１１Ｄ、１２Ｄを有するリベットピン等の鋲がそれぞれ用いられ、回転刃３の下部表面３Ｈから装着し、回転刃３の上部表面３Ｂに対して突起部１１Ｄ、１２Ｄがそれぞれ垂直方向に延びるように設けられる。このため、回転刃３には、図２に示すように、これら突起部１１Ｄ、１２Ｄを下部表面３Ｈから上部表面３Ｂへ貫通させるための貫通孔３Ｊが設けられている。これら突起物１１、１２は、回転刃３から外れないように貫通孔３Ｊにかしめて固定される。
【００５５】
また、上述の突起物１１は、この突起物１１の中心軸が図３に示される同心円１３の円上に配置されるようにして複数個設けられている。この同心円１３は、回転刃３の外径３Ｃと同心の円であり、ヘッド部材２の底部２Ａの外径２Ｃよりも大きくされる。また、上述の突起物１２も突起物１１同様に、突起物１２の中心軸が図４に示される同心円１４の円上に配置されるようにして複数個設けられている。この同心円１４は、同心円１３同様に回転刃３の外径３Ｃと同心の円であり、上記の同心円１３よりも大きくされる。
【００５６】
より具体的には、突起物１１、１２は、同心円１３の中心角９０度毎に４つずつ設ける。また、これら突起物１１、１２の設けられる位置は、相互に中心角４５度の相違がある。即ち、回転刃３の上部表面３Ｂには、中心角４５度毎に突起物１１、１２のいずれかが設けられている。
【００５７】
また、突起物１１を設ける同心円１３の外径は、突起物１１がヘッド部材２に近接する程度の大きさとし、突起物１２を設ける同心円１４の外径は、突起物１２が突起物１１に近接する程度の大きさとして過大にはされない。
【００５８】
本実施例の刈払機１００に用いる刈払物巻込防止部材２１は、図４に示すように、カバー部材２６と所定の板厚を有する板材２７とからなり、カバー部材２６を操作部材１に覆ってカバー部材２７の端部に設けられる接続部２８により操作部材に取付けて用いる。
【００５９】
上記の板材２７は、操作部材１の下部に設けられ、板材２７の両側面は回転刃３の上部表面３Ｂの垂直方向と平行になるように設けられる。また、板材２７には、所定の形状の先端部２１Ａが設けられている。この先端部２１Ａは、突起物１１とヘッド部材２と回転刃３の上部表面３Ｂとの間に生成される空間部１６に配置される。以下先端部２１Ａについて詳述する。
【００６０】
先端部２１Ａは、一方の側面２１Ｂが突起物１１の側面１１Ａに間隙を置いて配置され、上記先端の他方の側面２１Ｃがヘッド部材２の底部２Ａに間隙を置いて配置され、そして上記先端の底面２１Ｄが回転刃３の上部表面３Ｂに間隙を置いて配置されるような先端形状とされている。従って、先端部２１Ａは、縦断面が略矩形形状となる。なお、これらの間隙は、回転刃３の回転時に先端部２１Ａが突起部１１や回転刃３の上部表面３Ｂと接触しない程度で、略零に等しい隙間を持つように設定される。
【００６１】
また、刈払物巻込防止部材２２は、所定の板厚を有する板材２３に複数の接続部２４が設けられる構成となっており、ヘッド部材２の側面と接続部２３、２４それぞれとをねじ等によって取付固定して用いる。
【００６２】
上記の板材２３は、操作部材１と平行に設けられる。また、板材２３は、所定の形状の先端部２２Ａが設けられている。この先端部２２Ａは、突起物１１、１２と回転刃３の上部表面３Ｂとの間に生成される空間部１７に配置される。以下先端部２２Ａについて詳述する。
【００６３】
先端部２２Ａは、一方の側面２２Ｂが突起物１１の側面１１Ｂに間隙を置いて配置され、上記先端の他方の側面２２Ｃが突起物１２の側面１２Ａに間隙を置いて配置され、上記先端の底面２２Ｄが回転刃３の上部表面３Ｂに間隙を置いて配置されるような先端形状とされている。従って、先端部２２Ａは、上述の先端部２１Ａ同様に縦断面が略矩形形状となる。また、これらの間隙も先端部２１Ａ同様に、回転刃３の回転時に先端部２２Ａが突起部１１、１２や回転刃３の上部表面３Ｂと接触しない程度で、略零に等しい隙間を持つように設定される。
【００６４】
上述の構成である本実施例の芝払機１００の刈払物の巻込み防止状況を以下に説明する。まず、刈払機１００の回転刃３を高速回転させる。従って、突起物１１、１２も高速回転する。そして、この回転する回転刃３により雑草等を刈り払った際に、刈払物の長さがヘッド部材２の底部２Ａの外径２Ｂよりも大きい場合は、ヘッド部材の底部２Ａ即ち回転刃３の中央部へ飛散して巻付こうとする。
【００６５】
上記の長い刈払物は、回転刃３の中央部に巻付く際に必ず刈払物巻込防止部材２１、２２の先端部２１Ａ若しくは２２Ａに接触する。しかし、これら刈払物巻込防止部材２１、２２の先端部２１Ａ、２２Ａは、両側面２１Ｂ、２１Ｃ、２２Ｂ、２２Ｃがそれぞれヘッド部材２の底部２Ａや突起物１１の側面１１Ａまたは突起物１１の側面１１Ｂや突起物１２の側面１２Ａと略隙間がなく設けられているので、先端部２１Ａ、２２Ａに接触した上記の長い刈払物は、回転する各突起物１１、１２が各先端部２１Ａ、２２Ａの側面２１Ｂ、２２Ｃを通過する際に、回転によるトルクにより長い刈払物を巻き込んで回転刃３の外部へ払い出す若しくは長い刈払物を切断し、長い刈払物が回転刃３の中央部へ巻き込むことを防止する役割を果たす。
【００６６】
また、刈払物巻込防止部材２１、２２の先端部２１Ａ、２２Ａは、底面２２Ｄ、２２Ｄも回転刃３の上部表面３Ｂとほとんど隙間がなく設けられているので、上記の長い刈払物が突起物１１、１２のトルクによって払い出される時に先端部の底面２１Ｄ、２２Ｄと回転刃３の上部表面３Ｂの隙間に回り込むこともできない。
【００６７】
本実施例の刈払機１００は、上述のように、突起物１１、１２と刈払物巻込防止部材２１、２２を設けただけで、回転軸３０を含めた回転刃３の中央部への長い刈払物の巻込みを確実に防止できる。なお、本実施例の刈払機１００は、突起物１１と刈払物巻込防止部材２１のみでも、上述のように長い刈払物の回転刃の中央部への巻込みを防止できるが、突起物１２と刈払物巻込防止部材２２を設けるとより効果的に刈払物の回転刃の中央部への巻込みを防止することができる。
【００６８】
また、本実施例の刈払機１００は、各突起物１１、１２の上面側の先端部２１Ａ、２１Ｂの近傍に、各突起物１１、１２の上面に略零に等しい隙間を置くようにして形状２１Ｅ、２２Ｅをそれぞれ設けると、より効果的に刈払物の回転刃の中央部への巻込みを防止することができる。
【００６９】
本実施例の刈払機は、上述したようにそり部材を回転刃の底部側に設け、そり部材の操作部材への取り付けを操作部材側で行うようにしたことで、回転保護部材に回転刃と所定の高さ位置を置いたそり部構成とすることにより、利用者が回転刃の高さ位置を安易に保持することができて、特に操作部材の進行方向即ち前後方向に沿って滑らかに回転刃を移動することができ、刈払物のヘット部材への巻きつき滞積を減少させることができるので、利用者による刈払作業が安定し、長時間作業による疲労を低減できる。そして、そり部間の両端間の幅寸法を回転刃の外径より大きくしたので、回転刃を外部の硬い障害物への接触による刃の消耗を低減できる。
【００７０】
また、本実施例の刈払機においては、上述したように、回転刃の底部にそり部を設けることで、上述のように利用者による刈払作業が安定したものとなる。その結果、そり部を備えずに左右に回転刃を揺動させて雑草等を刈払うような刈払機に比べて、揺動させることなくより雑草等を容易に根元から刈払うことができて、容易に長さの長い刈払物とすることができることとなる。また、本実施例の刈払機は、長い刈払物の回転刃の中央部への巻込みを防止できるので、回転刃の底部にそり部を設けた汎用の刈払機とすることができる。
【００７１】
なお、本実施例の刈払機１００は、また、突起物の突起部の高さ、突起物の配置数、突起物と他の突起物の配置ピッチ、巻込防止部材の先端部の回転刃半径方向の大きさおよび突起物の突起部の外径の大きさ、即ち空間部の回転半径方向の大きさ等は、刈払機１００の使用状況によって適宜変更され得るものであって、上述の記載の構成に限定されないことは言うまでもない。また、本実施例の刈払機１００を構成する刈払物巻込防止部材２１、２２の形状は、上述の効果を達成できる範囲内において、図に示した形状に限定されないことは言うまでもない。
【００７２】
本発明は、上述のように構成しているので、刈払物が回転刃の中央部に巻込むことを容易に防止でき、利用者による作業性の低下を防ぐことができる。また、利用者が地面から回転刃までの高さを容易に一定に保持できるため、利用者による長時間作業による疲労を低減できる。更に、回転刃を外部の障害物から保護することができるため、回転刃の著しい消耗を抑えることができて経済的に用いることができる。
【実施例２】
【００７３】
図５は、本発明の第２の実施例である刈払機１００の概略底面図を示し、実施例１の図３に対応する。図５を用いて、実施例１との相違点を主として説明する。同一構成、類似構成については実施例１についての説明を援用する。
【００７４】
本実施例が実施例１と相違する点は、接続部材５０の接続先が外側のそり部材４０ではなく、内側のそり部材４５としていることにある。すなわち接続部材５０の接続部５１は、内側のそり部材４５の一端に接続される。
【００７５】
この構成によれば、複数のそり部材４０、４５の内の内側に配置された内側そり部材４５が、回転刃３の外径よりも内側に位置するように配置されて、操作部材１の長手方向に延びるそり部形状とされ、先端そり部４５Aが回転刃３の外径よりも内側あるいは外側にある形状とされ、接続部材５０の接続部５１が内側そり部材４５の操作材側の一端に接続された刈払機１００が構成される。図５では、先端そり部４５Aが内側にある形状とされているが、外側にある形状とすることができる。他の構成は、先の実施例１と同一である。
【００７６】
この構成によっても、実施例１で得られる作用、効果を得ることができる。
【実施例３】
【００７７】
図６は、本発明の第３の実施例である刈払機１００の概略底面図を示し、実施例１の図３に対応する。
【００７８】
本実施例が実施例１と相違する点は、最外側の外側そり部材４０が回転刃３の外径内配置となっていることにある。
【００７９】
すなわち、この構成によって、複数のそり部材４０、４５の内の最外側に配置された外側そり部材４０が、回転刃３の外径の近傍に配置され、接続部材５０接続部５１が外側そり部材４０の操作部材側の一端に接続される。そして、最外側に配置された外側そり部材は、その外側面が回転刃３の外径よりも内側に位置するように配置される。
【００８０】
もう１つの大きな相違点は、本例にあっては外側のそり部材４０が設けられているだけで、実施例１で設けられた内側のそり部材４５が設けられていないことである。内側のそり部材が設けられていないので、横方向への揺動動力を抑止する力が外側のそり部材４０による抵抗力のみとなって多少減少するが、実用的には問題がない。
【００８１】  この例にあっては、先の２つの実施例で設けられた係止部材３７、３８に装着された縦突出部４２、横突出部４３及び円筒部４４からなる保持部底部に代えて、円盤状の保持部底部６０が設けてあり、この保持部底部６０に小片の横突出部４３が設けられて、外側のそり部材４０が連結されている。他の構成は、先の実施例と同一である。【００８２】
この構成によっても、実施例１、２で得られる作用、効果を得ることができる。
【符号の説明】
【００８３】
１…操作部材、２…ヘッド部材、２Ａ…ヘッド部材の底部、２Ｂ…ヘッド部材の底部の外径、３…回転刃、３Ａ…回転刃の底部中央部、３Ｂ…回転刃の上部表面、３Ｃ…回転刃の外径、４…回転刃保護部材、４Ａ…そり部、４Ｃ…底部、５…仰角、１１、１２…突起物、１１Ｃ、１２Ｃ…突起物の側面、１３、１４…回転刃外径の同心円、１６、１７…空間部、２１、２２…刈払物巻込防止部材、２１Ｃ、２２Ｃ…先端部、２１Ｄ、２２Ｄ、２１Ｅ、２２Ｅ…先端部側面、２１Ｆ、２２Ｆ…先端部底面、３０…回転軸、３５…軸受、３７、３８…係止部材、５０…接続部材、５１…突出部、５２…接続部、６０…両側そり部間幅寸法、６１…高さ間隔、１００…刈払機。
【要約】
【課題】本発明の目的は、回転刃及びヘッド部材の横振れを防止して刈払のための移動操作を容易にして、刈払物の巻き込みによる滞積を防止することで、利用者が長時間継続して刈払作業を行うことのできる刈払機を提供する。
【解決手段】回転刃保護部材が、回転軸に軸受を介して係止された係止部材、回転刃の底部側で、操作部材の長手方向に延びるそり部形状とされ、係止部材に装置された複数のそり部材から構成され、１つのそり部材を前記操作部材に接続する接続部材が、操作部材の側方に回転刃から離間して配設されて、そり部材のそり部形状の操作部材側の一端にそり部形状に沿った形状でもって接続され、操作部材側に延び、ヘッド部材から所定の距離を置いた位置で操作部材に連結されること。
【選択図】図１【図１】
0005129877.tif 000002
【図２】
0005129877.tif 000003
【図３】
0005129877.tif 000004
【図４】
0005129877.tif 000005
【図５】
0005129877.tif 000006
【図６】
0005129877.tif 000007